(57)【要約】【課題】ドアの下降やドア・ドア枠の変形に対応し、常に快適に使用することができるドアガード装置を提供すること。【解決手段】ドアガード装置の係止ピン４を、プレート１６上に立設し、このプレート１６を受け座１０に摺動可能に配設するとともに、プレート１６側と受け座１０側との間に係止ピン４を支持するばね１３を介設する。【選択図】  図５
2004197346.tif 000002
【特許請求の範囲】
【請求項１】
ドア又はドアフレームの一方に揺動可能に取り付けた係止アームのスライド溝に、ドア又はドアフレームのもう一方に固定した係止ピンをスライド可能に掛け止めるドアガード装置において、前記係止ピンを、ドア又はドアフレームに固定される受け座に対し、少なくとも上下移動可能に配設するとともに、任意の移動位置で係止しかつ前記係止アームのずれに伴い移動可能に支持せしめたことを特徴とするドアガード装置。
【請求項２】
前記係止ピンをプレート上に立設し、該プレートを受け座に摺動可能に配設するとともに、プレート側と受け座側との間に前記係止ピンを支持するばねを介設したことを特徴とする請求項１記載のドアガード装置。
【請求項３】
前記係止ピンをプレート上に立設し、該プレートを受け座に回動可能に枢支するとともに、プレート側と受け座側との間に前記係止ピンを支持するばねを介設したことを特徴とする請求項１記載のドアガード装置。
【発明の詳細な説明】
【０００１】
【発明の属する技術分野】
本発明は、玄関等のドアを半開きの状態でロックすることができるドアガード装置に関し、特に、ドアの下降やドア・ドア枠の変形に対応し、常に快適に使用することができるドアガード装置に関するものである。
【０００２】
【従来の技術】
従来、玄関ドア等の防犯用として、ドア本体に取り付けたシリンダー錠とは別に、防犯の用心鎖としてドアガード装置が設置されている。
このドアガード装置は、例えば、ドア先端部の内側に揺動可能に取り付けられた係止アームと、ドアフレーム側に固定され、係止アームのスライド溝に頭部を掛止して、スライド可能に掛け止められる係止ピンとを備えている。
そして、係止ピンを係止アームのスライド溝に挿入した状態でドアを開くと、ドアは係止ピンがスライド溝を移動する範囲内でしか開くことができず、半開きの状態でロックすることができる。
【０００３】
【発明が解決しようとする課題】
ところで、永年の使用により、ドアの丁番も磨耗してドアの取付位置が下がるが、上記従来のドアガード装置では、ドア又はドアフレームの一方に取り付けられた係止ピンが一定の位置に固定されることから、このドア位置の変化に対応することができず、年月の経過とともにドアガード装置が使用できなくなるという問題を有している。
また、ドアガード装置の施錠時に、地震等によりドアやドア枠が変形した場合、係止アームと係止ピンが圧迫され、ドアが開閉できなくなるという問題も有している。
【０００４】
本発明は、上記従来のドアガード装置が有する問題点に鑑み、ドアの下降やドア・ドア枠の変形に対応し、常に快適に使用することができるドアガード装置を提供することを目的とする。
【０００５】
【課題を解決するための手段】
上記目的を達成するため、本発明のドアガード装置は、ドア又はドアフレームの一方に揺動可能に取り付けた係止アームのスライド溝に、ドア又はドアフレームのもう一方に固定した係止ピンをスライド可能に掛け止めるドアガード装置において、前記係止ピンを、ドア又はドアフレームに固定される受け座に対し、少なくとも上下移動可能に配設するとともに、任意の移動位置で係止しかつ前記係止アームのずれに伴い移動可能に支持せしめたことを特徴とする。
【０００６】
このドアガード装置は、係止アームと掛合する係止ピンを、ドア又はドアフレームに固定される受け座に対し、少なくとも上下移動可能に配設するとともに、任意の移動位置で係止しかつ前記係止アームのずれに伴い移動可能に支持することから、ドアが下がったりドア・ドア枠が変形した場合でも、係止ピンが係止アームのずれに対応して移動することができ、これにより、係止ピンと係止アームの相対位置を自動的に調整して、ドアガード装置を常に快適に使用できる状態に保つことができる。
また、このドアガード装置は、係止ピンが受け座に対して上下移動できることから、係止アームとの位置決めを容易にして、ドア又はドア枠に対する受座の取り付けを簡単にすることができ、さらに、係止ピンが移動することにより最適に調整された位置で使用されることから、不快な衝撃音や摩擦音の発生を防止することができる。
【０００７】
この場合において、前記係止ピンをプレート上に立設し、該プレートを受け座に摺動可能に配設するとともに、プレート側と受け座側との間に前記係止ピンを支持するばねを介設することができる。
【０００８】
これにより、任意の移動位置で係止しかつ係止アームのずれに伴い移動するように、係止ピンを好適に支持することができる。
【０００９】
また、前記係止ピンをプレート上に立設し、該プレートを受け座に回動可能に枢支するとともに、プレート側と受け座側との間に前記係止ピンを支持するばねを介設することができる。
【００１０】
これにより、任意の移動位置で係止しかつ係止アームのずれに伴い移動するように、係止ピンを好適に支持することができる。
【００１１】
【発明の実施の形態】
以下、本発明のドアガード装置の実施の形態を図面に基づいて説明する。
【００１２】
図１〜図７に、本発明のドアガード装置の一実施例を示す。
このドアガード装置は、図１〜図４に示すように、ドアＤの先端部内側に揺動可能に取り付けられた係止アーム１と、ドアフレームＦ側に固定され、係止アーム１のスライド溝２に頭部３を掛止して、スライド可能に掛け止められる係止ピン４とを備えている。
そして、前記係止アーム１は、係止ピン４の頭部３が挿通可能な幅の溝５１を備えた係止アーム本体５と、係止ピン４の頭部３が挿通可能な幅のカム溝６１を備えるとともに、係止アーム本体５内で長手方向に摺動可能に配設されたシリンダーカム６と、係止アーム本体５内で溝５１に沿って配設され、シリンダーカム６の移動により溝５１の幅方向に移動して溝幅を変えるロック用部材７と、前記シリンダーカム６を移動させる移動機構８と、該移動機構８を施錠する施錠機構９とを備えている。
【００１３】
係止４ピンは、ドアフレームに固定される受け座１０に対し、少なくとも上下移動可能に配設されるとともに、任意の移動位置で係止しかつ前記係止アーム１のずれに伴い移動可能に支持されている。
具体的には、係止ピン４は、係止ピン４が立設されたプレート１６が受け座１０に摺動可能に配設されるとともに、裏板１２との間に配設されたコイルばね１３により弾支されている。
また、係止ピン４は、図５に示すように、受け座１０の長溝１１に移動可能に立設されており、これにより、係止ピン４は、ドアＤの取付の不具合等によって係止アーム１の水平な揺動に狂いが生じた場合でも、長溝１１に沿い上下移動することによって対応することができる。
なお、係止ピン４の扁平球状の頭部３は軸部より大径に形成されており、頭部３は、係止アーム本体５の溝５１を挿通するが、ロック用部材７が溝幅を狭めた状態では係止アーム本体５から抜けない状態となる。
【００１４】
係止アーム本体５は、図１〜図３及び図６に示すように、外側を取り囲む断面コ字状のケーシング５２と、該ケーシング５２の内部に配設されるハウジング部材５３とを備えている。
ケーシング５２とハウジング部材５３は、長手方向に形成された係止ピン４の頭部３が挿通可能な幅の溝５１をそれぞれ備え、また、各々の下部中央には、施錠機構９が嵌合する嵌合孔５４が形成されている。
ハウジング部材５３の揺動基部側には、台座１４の枢軸１５が挿通する貫通孔５５が形成されるとともに、前記溝５１の上下にロック用部材７を上下に摺動可能に支持するロックカム用凹部５６と、後述するロック用部材７の突起７１が上下動可能に嵌挿される複数の縦溝５７が形成されている。
また、ハウジング部材５３のロックカム用凹部５６の後方には、シリンダーカム６を左右移動可能に支持するシリンダーカム用凹部５８が形成されている。
【００１５】
シリンダーカム６は、図７（ｃ）〜（ｅ）にも示すように、本実施例ではチャンネル状に形成された金属プレートからなり、カム溝６１の上下に形成された上下１対の前壁６２には、ロック用部材７の突起７１が斜め移動可能に嵌挿される複数の斜溝６３が形成されている。
また、このシリンダーカム６の下部には、後述する移動機構８のギヤ８１と歯合するラック６４が形成されている。
【００１６】
ロック用部材７は、図７（ｈ）〜（ｊ）にも示すように、本実施例では、係止アーム１のケーシング５２の溝５１の長手方向に亘る１対の金属プレートからなり、ケーシング５２前壁６２の後に形成さたロックカム用凹部５６に上下に摺動可能に配設されている。
このロック用部材７は、シリンダーカム６側に突設された複数の突起７１を備え、これらの突起７１は、係止アーム本体５の縦溝５７を貫通してシリンダーカム６の斜溝６３に摺動可能に嵌挿されている。
これにより、シリンダーカム６が左右に移動すると、斜溝６３内で突起７１の位置が変化することになり、その結果、ロック用部材７は溝幅方向に移動することができる。
このロック用部材７は、前記したシリンダーカム６の移動により、溝幅を狭めて係止ピン４の頭部３が抜けない位置と、溝幅を広げて係止ピン４の頭部３が抜ける位置とに選択的に固定される。
【００１７】
移動機構８は、図７（ｆ）〜（ｇ）に示すように、施錠機構９と一体に形成されており、施錠機構９のシリンダー９１の外周部に形成されたギヤ８１を備えている。
このギヤ８１は、施錠機構９をキー等により回転させた際に、シリンダー９１が回転することにより、ラック６４を介してシリンダーカム６を左右に移動させることができる。
【００１８】
施錠機構９は、図７（ｆ）〜（ｇ）に示すように、例えばシリンダー錠からなり、キー等を用いてシリンダー９１を回転させ、ロック位置とロック解除位置とに選択的に固定することができる。
そして、この施錠機構９は、移動機構８とシリンダーカム６を介し、ロック位置でロック用部材７を溝幅を狭めた位置で固定し、ロック解除位置でロック用部材７を溝幅を広げた位置で固定することができる。
なお、本実施例では、施錠機構９のキー（図示省略）は施錠解除状態では施錠機構９から抜けないように配慮されている。
【００１９】
次に、図８〜図９を参照して、係止ピンの他の実施例を示す。
この係止ピン４は、ドア又はドアフレームに固定される受け座１０に対し、少なくとも上下移動可能に配設されるとともに、任意の移動位置で係止しかつ係止アーム１のずれに伴い移動可能に支持されている。
具体的には、係止ピン４は、係止ピン４が立設されたプレート１６が受け座１０に回動可能に枢支されるとともに、係止ピン４と受け座１０との間に前記係止ピン４を支持するばねコイル１３が介設されている。
この場合、プレート１６の回動範囲は、受け座１０に突設された突起２０によって制限されている。なお、プレート１６と受け座１０の枢着部１７には、ワッシャ１９が配設されている。
一方、コイルばね１３は、例えば、波型座金１８によって代用することも可能であり、この場合、波型座金１８は、図１０に示すように、係止ピン４を立設したプレート１６と受け座１０の枢着部１７に配設することができる。
さらに、図１１に示すように、係止ピン４を、軸４１により、水平面内で揺動できるようにし、これにより、不使用時に、係止ピン４を、図１１（ｂ）に示す突出位置から、図１１（ｃ）に示すように、軸４１を中心にして室内側に倒すように揺動させて、係止ピン４に通行者が引っかかること等を防止するようにすることができる。
【００２０】
かくして、本実施例のドアガード装置は、係止アーム１と掛合する係止ピン４を、ドア又はドアフレームに固定される受け座１０に対し、少なくとも上下移動可能に配設するとともに、任意の移動位置で係止しかつ前記係止アーム１のずれに伴い移動可能に支持することから、ドアが下がったりドア・ドア枠が変形した場合でも、係止ピン４が係止アーム１のずれに対応して移動することができ、これにより、係止ピン４と係止アーム１の相対位置を自動的に調整して、ドアガード装置を常に快適に使用できる状態に保つことができる。
また、このドアガード装置は、係止ピン４が受け座１０に対して上下移動できることから、係止アーム１との位置決めを容易にして、ドア又はドア枠に対する受座１０の取り付けを簡単にすることができ、さらに、係止ピン４が移動することにより最適に調整された位置で使用されることから、不快な衝撃音や摩擦音の発生を防止することができる。
そして、係止ピン４をプレート１６上に立設し、該プレート１６を受け座１０に摺動可能に配設するとともに、プレート１６側と受け座１０側との間に前記係止ピンを支持するばね１３を介設することにより、任意の移動位置で係止しかつ係止アーム１のずれに伴い移動するように、係止ピン４を好適に支持することができる。
また、係止ピン４をプレート１６上に立設し、該プレート１６を受け座１０に回動可能に枢支するとともに、プレート１６側と受け座１０側との間に前記係止ピンを支持するばね１３、１８を介設することにより、任意の移動位置で係止しかつ係止アーム１のずれに伴い移動するように、係止ピン４を好適に支持することができる。
【００２１】
さらに、本実施例のドアガード装置は、係止アーム１に、係止ピン４の頭部３が挿通可能な幅の溝５１を備えた係止アーム本体５と、該係止アーム本体５の溝５１に沿いその長手方向に亘り配設され、溝５１の幅方向に移動して溝幅を変えるロック用部材７と、該ロック用部材７を移動させる移動機構８と、該移動機構８を施錠する施錠機構９とを備えることにより、ロック用部材７を広げた状態で係止ピン４を係止アーム本体５の溝５１に挿入するとともに、キー等によってロック機構を操作し、ロック用部材７を溝幅を狭める位置に移動させることにより、家の外からドアガード装置を施錠することができる。
また、キー等によってロック機構を操作し、ロック用部材７を溝幅を広げる位置に移動させることにより係止アーム本体５の溝５１を広く開放するとともに、係止ピン４を該溝５１から抜くことにより、家の外からドアガード装置を解錠することができる。
そして、係止アーム本体５内を長手方向に移動するシリンダーカム６を配設し、該シリンダーカム６を介してロック用部材７を移動させるように構成することにより、ロック用部材７の移動と固定を容易に行うことができ、さらに、ロック用部材７を溝５１の上下にそれぞれ配設することにより、移動機構８の小さな動作で溝幅を変化させることができ、ドアガード装置の使い勝手を向上させることができる。
【００２２】
以上、本発明の実施例を説明したが、本発明のドアガード装置は、この実施例の記載に限定されるものではなく、その趣旨を逸脱しない範囲において適宜に変更することが可能である。
【００２３】
【発明の効果】
本発明のドアガード装置によれば、係止アームと掛合する係止ピンを、ドア又はドアフレームに固定される受け座に対し、少なくとも上下移動可能に配設するとともに、任意の移動位置で係止しかつ前記係止アームのずれに伴い移動可能に支持することから、ドアが下がったりドア・ドア枠が変形した場合でも、係止ピンが係止アームのずれに対応して移動することができ、これにより、係止ピンと係止アームの相対位置を自動的に調整して、ドアガード装置を常に快適に使用できる状態に保つことができる。
また、このドアガード装置は、係止ピンが受け座に対して上下移動できることから、係止アームとの位置決めを容易にして、ドア又はドア枠に対する受座の取り付けを簡単にすることができ、さらに、係止ピンが移動することにより最適に調整された位置で使用されることから、不快な衝撃音や摩擦音の発生を防止することができる。
【００２４】
この場合、係止ピンをプレート上に立設し、該プレートを受け座に摺動可能に配設するとともに、プレート側と受け座側との間に前記係止ピンを支持するばねを介設することにより、任意の移動位置で係止しかつ係止アームのずれに伴い移動するように、係止ピンを好適に支持することができる。
【００２５】
また、係止ピンをプレート上に立設し、該プレートを受け座に回動可能に枢支するとともに、プレート側と受け座側との間に前記係止ピンを支持するばねを介設することにより、任意の移動位置で係止しかつ係止アームのずれに伴い移動するように、係止ピンを好適に支持することができる。
【図面の簡単な説明】
【図１】本発明のドアガード装置の一実施例の施錠状態を示し、（ａ）は係止アームの正面透視図、（ｂ）は（ａ）のＡ−Ａ線断面図、（ｃ）は係止ピンを掛止した係止アームの断面図である。
【図２】本発明のドアガード装置の一実施例の解錠状態を示し、（ａ）は係止アームの正面透視図、（ｂ）は同断面図である。である。
【図３】係止アームを示し、（ａ）は施錠状態の正面図、（ｂ）は解錠状態の正面図である。
【図４】同実施例のドアに取り付けたドアガード装置を示し、（ａ）は係止アームを示す正面図、（ｂ）は係止ピンを係止アーム本体に掛止させた状態を示す平面図、（ｃ）は係止ピンを係止アーム本体に掛止させた状態でドアを開いた平面図、（ｄ）はドアガード装置を解錠して係止ピンを係止アームから抜いた状態を示す平面図である。
【図５】係止ピンを示し、（ａ）〜（ｃ）はその三面図、（ｄ）〜（ｆ）は受け座の三面図、（ｇ）〜（ｉ）は係止ピン本体の三面図、（ｊ）はばねの正面図、（ｋ）は裏板の正面図である。
【図６】係止アームを示し、（ａ）はハウジング部材の正面図、（ｂ）は同背面図、（ｃ）はケーシングの正面図、（ｄ）は同背面図、（ｅ）は同側面図である。
【図７】（ａ）は係止アームの台座の正面図、（ｂ）は同側面図、（ｃ）はシリンダーカムの正面図、（ｄ）は同底面図、（ｅ）は同側面図、（ｆ）は施錠機構と移動機構の正面図、（ｇ）は同側面図、（ｈ）はロック用部材の正面図、（ｉ）は同平面図、（ｊ）は同側面図である。
【図８】係止ピンの第２実施例を示し、（ａ）はその正面図、（ｂ）はその底面図である。
【図９】同係止ピンを示し、（ａ）〜（ｄ）は係止ピンとプレートの四面図、（ｅ）は受け座の正面図、（ｆ）は同底面図、（ｇ）はコイルばねの正面図、（ｈ）はワッシャの二面図である。
【図１０】係止ピンの第３実施例を示し、（ａ）〜（ｃ）はその動きを示す正面図、（ｄ）は係止ピンの底面図、（ｅ）は係止ピンとプレートの組み立て図、（ｆ）は係止ピンの組み立て図、（ｇ）は係止ピンの側面図である。
【図１１】係止ピンの第４実施例を示し、（ａ）はその平面図、（ｂ）は突出状態を示す説明図、（ｃ）は室内側に倒した状態を示す説明図である。
【符号の説明】
１    係止アーム
２    スライド溝
３    頭部
４    係止ピン
４１  軸
５    係止アーム本体
５１  溝
５２  ケーシング
５３  ハウジング部材
５４  嵌合孔
５５  貫通孔
５６  ロックカム用凹部
５７  縦溝
５８  シリンダーカム用凹部
６    シリンダーカム
６１  カム溝
６２  前壁
６３  斜溝
６４  ラック
７    ロック用部材
７１  突起
８    移動機構
８１  ギヤ
９    施錠機構
９１  シリンダー
１０  受け座
１１  長溝
１２  裏板
１３  コイルばね
１４  台座
１５  枢軸
１６  プレート
１７  枢着部
１８  波型座金
１９  ワッシャ
２０  突起
【図１】
2004197346.tif 000003
【図２】
2004197346.tif 000004
【図３】
2004197346.tif 000005
【図４】
2004197346.tif 000006
【図５】
2004197346.tif 000007
【図６】
2004197346.tif 000008
【図７】
2004197346.tif 000009
【図８】
2004197346.tif 000010
【図９】
2004197346.tif 000011
【図１０】
2004197346.tif 000012
【図１１】
2004197346.tif 000013